(57)【要約】パッケージングされた製品の組み合わせは、異なる形状及び／又は色の多数の異なる薬を含み、それらの薬の実際の形状及び／又は色が、薬に関するユーザ情報、たとえば食事時間を基準とする推奨される服用時間を提供する。たとえば、食事時間の前に摂取されるべき製品は細長いものであることができ、食事時に摂取されるべき製品は円形であることができ、食事時間後に摂取されるべき製品は三角形であることができる。このようにして、本発明は、患者が薬を正しく摂取することを支援して、患者は、より長くセルフメディケーションすることができ、入院患者としてのケアに頼らなくなる。
2010517651.tif 000002
【特許請求の範囲】
【請求項１】
異なる形状及び／又は色の多数の異なる薬（１０）を含み、薬（１０）の形状及び／又は色が、その特定の薬（１０）の使用に関する情報を与える、パッケージングされた製品の組み合わせ。
【請求項２】
使用に関する情報が、食事を基準とする推奨される摂取時間である、請求項１記載のパッケージングされた製品の組み合わせ。
【請求項３】
多数の薬（１０）を収容するための、それぞれがフィルム（３０）によって封止される多数の収容コンパートメント（２２）を有するブリスタパック（２０）からなり、収容コンパートメント（２２）が、それぞれ、薬の指定の使用時間に割り当てられている、請求項１又は２記載のパッケージングされた製品の組み合わせ。
【請求項４】
ブリスタパック（２０）の収容コンパートメント（２２）が、使用日のためのいくつかの行と、一日における使用時間のためのいくつかの列とを有する行列の形態に配設されている、請求項３記載のパッケージングされた製品の組み合わせ。
【請求項５】
規定された期間が一週間であり、ブリスタパック（２０）が、一週間分の所要量のための「週」ブリスタパックとして設計されている、請求項４記載のパッケージングされた製品の組み合わせ。
【請求項６】
フィルム（３０）を覆うために、ブリスタパック（２０）の上に、好ましくは折りたたみ可能な手法で形成され、使用に関する詳細情報を印刷するための文字面を有するカバーを有する、請求項１〜５のいずれか１項記載のパッケージングされた製品の組み合わせ。
【請求項７】
行列形状のブリスタパックの個々の行の切り離しを可能にするミシン目を有する区分（２４）を有する、請求項４〜６のいずれか１項記載のパッケージングされた製品の組み合わせ。
【請求項８】
ある特定の人に対して規定された期間だけ個別に処方された薬の組み合わせをパッケージングするための個人化された製品の組み合わせとして設計されている、請求項１〜７のいずれか１項記載のパッケージングされた製品の組み合わせ。
【請求項９】
薬、ビタミン剤、栄養補助食品などのような製品を含む、請求項１〜８のいずれか１項記載のパッケージングされた製品の組み合わせ。
【請求項１０】
異なる形状及び／又は色の多数の異なる薬からなり、薬（１０）の形状及び／又は色そのものが、特定の薬（１０）の使用に関する情報を示すように設計されている製品の組み合わせを構成し、パッケージングする方法。
【請求項１１】
使用に関する情報が、食事を基準とする推奨される摂取時間である、請求項１０記載の方法。
【請求項１２】
規定された使用期間のための薬（１０）が、それぞれがフィルム（３０）によって封止されるブリスタパック（２０）の多数の収容コンパートメント（２２）にパッケージングされ、収容コンパートメント（２２）が、それぞれ、規定された期間内の指定の使用時間に割り当てられている、請求項１０又は１１記載の方法。
【請求項１３】
ブリスタパック（２０）の収容コンパートメント（２２）が、使用日のためのいくつかの行と、一日における使用時間のためのいくつかの列とを有する行列の形態に配設されており、収容コンパートメント（２２）の中に製品が適切に編成された手法で詰められる、請求項１２記載の方法。
【請求項１４】
規定された期間が一週間である、請求項１３記載の方法。
【請求項１５】
製品の組み合わせが、ある特定の人に対して規定された期間だけ個別に処方された薬の組み合わせである、請求項１０〜１４のいずれか１項記載の方法。
【請求項１６】
製品の組み合わせが、薬、ビタミン剤、栄養補助食品などのような製品を含む、請求項１０〜１５のいずれか１項記載の方法。
【発明の詳細な説明】
【技術分野】
【０００１】
本発明は、多数の異なる薬などを含むパッケージングされた製品の組み合わせ及びその種の製品の組み合わせを構成し、パッケージングする関連方法に関する。
【０００２】
関連する従来技術
日にち、曜日及び時刻（朝、昼、晩及び場合によっては夜）にしたがって配列された順序で薬を摂取すると考えられる患者の一週間分の薬所要量のためのブリスタパックがＷＯ２００５／１０２８６２Ａ１から公知である。特定の薬を収容するためのブリスタパックの収容コンパートメントは、行列の形態に配設され、七つの「日にち」列を少なくとも三つの「時刻」コンパートメントとともに有し、これらが連続的なブリスタフィルムによって全体として封止されている。ブリスタパックの上には厚紙の形態のカバーが配置され、このカバーが、個々の「時刻」コンパートメントと、特定の薬に関する処方情報との構成を、個々の患者に関連する手法で収容する。
【０００３】
多数の異なる薬を規則的に摂取しなければならない患者にとって、この種のパッケージング単位は、一方では、重要な薬を飲み忘れないための、また、他方では、状況によっては害にもなりうる過剰服用を避けるために、どの薬をすでに摂取したのかを確実に追跡するための支援となる。したがって、ＷＯ２００５／１０２８６２Ａ１に記載されている「週」ブリスタパックは、所要量を満たす患者の服用を支援し、同時に、費用効果的に製造することができ、供給機によって多数の患者に対して個々に供給されることができる。
【０００４】
ＷＯ２００５／１０２８６２Ａ１に記載されている「週」ブリスタパックの「時刻」コンパートメントは、患者に対し、何時に薬を摂取しなければならないかを簡単かつ明瞭に指示する。しかし、多くの薬の有効性のためには、薬剤を食前に摂取するのか、食事中に摂取するのか、食後に摂取するのかが重要である。ＷＯ２００５／１０２８６２Ａ１から公知の「週」ブリスタパックにおいて、使用に関するこのさらなる情報は、そのブリスタパックのカバー部分に印刷された取り扱い指示によって患者に伝えられる。しかし、多数の必要な詳細のせいで、これらの取り扱い指示書は、特に高齢者、特に視覚的に障害のある患者にとって、空間の理由で制限される文字のサイズのせいで、どうしても読みにくい。
【発明の概要】
【０００５】
したがって、本発明の目的は、患者が取り扱い指示書を読むことなしでも特定の薬の使用に関するさらなる情報を患者に提供する、多数の異なる薬などを含むパッケージングされた製品の組み合わせ及びその種の製品の組み合わせを構成し、パッケージングする関連方法を発案することである。
【０００６】
この目的は、異なる形状及び／又は色の多数の異なる薬を含み、薬の形状及び／又は色そのものが薬の使用に関する情報、たとえば食事を基準とする推奨される摂取時間を与える、パッケージングされた製品の組み合わせによって達成される。たとえば、食前に摂取されるべき薬剤は細長く、食事中に摂取されるべき薬は円形であり、食後に摂取されるべき薬は三角形であってもよい。食事を基準とする使用時間が重要でないならば、たとえば球形を提供してもよい。
【０００７】
あるいはまた、食事を基準とする摂取時間はまた、色によってコード化する、たとえば、食前の場合には黄色、食事中の場合には緑、食後の場合には青、摂取時間が重要でない場合には赤によってコード化することもできる。しかし、当然ながら、視覚障害のある患者にとっては、形状によるコード化がより適切である。
【０００８】
ブリスタパックは、多数の薬を収容するための、それぞれがフィルムによって封止される多数の収容コンパートメントを備えることができ、それらの収容コンパートメントは、それぞれ、規定された使用期間内の指定の使用時間（朝、昼間、晩及び場合によっては夜）に割り当てられる。そういう状況で、ブリスタパックの収容コンパートメントは、使用日のためのいくつかの行と、一日における使用時間（朝、昼間、晩及び場合によっては夜）のためのいくつかの列とを有する行列の形態に配設されることができる。ブリスタパックは、好ましくは、一週間分の所要量のための「週」ブリスタパックとして設計されることができる。
【０００９】
ブリスタパックは、行列形状のブリスタパックの個々の（「日」）行の切り離しを可能にするミシン目を有する区分を有することができる。
【００１０】
特に、製品の組み合わせは、ある特定の人に対して規定された期間だけに個別に処方された薬の組み合わせを含む個人化された製品の組み合わせとして設計されることができる。
【００１１】
関連する製品は、薬、ビタミン剤、栄養補助食品などであることができる。
【００１２】
本発明はまた、多数の異なる薬などからなり、薬の形状及び／又は色そのものが、特定の薬の使用に関する情報を示すように設計されている製品の組み合わせを構成し、パッケージングする方法を発案する。
【００１３】
以下、例示的な実施態様を使用し、図面を参照しながら本発明を詳細に説明する。
【図面の簡単な説明】
【００１４】
【図１】本発明の一つの例示的な実施態様の「週」ブリスタパックの斜視図である。
【図２】図１の「週」ブリスタパックの断面図である。
【図３】薬に関して考えられる様々な形状を例として示す側面図又は斜視図及び平面図である。
【発明を実施するための形態】
【００１５】
発明の詳細な説明
図１は、本発明の個人化されたブリスタパック２０の例示的な実施態様を示す。このパックは、一週間分の薬及び類似した製品、たとえばビタミン剤、栄養補助食品などを人又は患者に供給するための、いわゆる「週」ブリスタパックとして設計されている。当然、本発明は指定の期間に限定されない。一般的な行列の形態にあるブリスタパック２０には、曜日ごとに、ミシン目２４によって切り離すことができる収容コンパートメント２２の行が提供されており、この例では四つの行が示され、各行が、「早」（「朝」）、「昼間」、「晩」もしくは「夜」又は「朝食時」、「昼食時」、「夕食時」及び「就寝前」に使用される製品を収容する。また、応用分野に依存して、異なる数の収容コンパートメント２２を提供することが可能である。
【００１６】
図１に示す例示的な実施態様では全部で２８個ある収容コンパートメント２２は、好ましくは透明な熱可塑性材料からの深絞り成形によって大量生産的に廉価に製造され、それぞれが、複数の錠剤、カプセル剤、コーティング丸剤などのための十分な空間を有している。すべての収容コンパートメント２２は、共通のフィルム３０又は薄いアルミ箔によって封止されることができ、摂取時間（朝、昼、晩、夜）を表す記号を設けられることができる。さらには、フィルム３０を覆うために、ブリスタパック２０の上に、好ましくは折りたたみ可能な手法で形成され、使用に関する詳細情報を印刷するための文字面を有するカバー（図示せず）を設けることもできる。
【００１７】
患者は、薄いフィルムを開裂させることにより、一日の特定の時間に摂取すべき製品を簡単に取り出すことができる。収容コンパートメント２２を形成するプラスチックブランク及びフィルム３０の両方にミシン目２４がある結果として、「日」ストリップ（細長い一片）をブリスタパック２０から切り離すことができ、患者は、その「日」ストリップを簡便に持ち運ぶことができる。
【００１８】
図２は、図１に示す「週」ブリスタパック２０を断面で示す。朝、昼、晩及び夜のための四つの収容コンパートメント２２をはっきりと見ることができ、また、その中に位置する製品１０をも見ることができる。これらの製品は異なる形状（細長い、球形、円柱形又は三角形）を有し、各形状が使用条件、たとえば食事時間を基準とする摂取時間を伝える。
【００１９】
図３は、例として、四つの異なる製品形状を、上段では側面又は部分斜視図で示し、下段では平面図で示す。図３ａは球形の薬剤を示し、図３ｂは円形又は円柱形の薬剤を示し、図３ｃは細長い（葉巻形の）薬剤を示し、図３ｄは三角形の薬剤を示す。したがって、たとえば、円柱形は、食前の摂取時間を示すことができ、細長い形状は食事中の摂取時間を示すことができ、三角形は食後の摂取時間を示すことができる。
【００２０】
食事を基準とする摂取時間が重要でないならば、たとえば、球形を使用することが可能である。このようにして、患者は、どの薬剤を食前、食事中及び食後に摂取するのかを容易に知らされることができる。
【００２１】
代替的又は追加的に、摂取時間のカラーコード（図示せず）、たとえば食前の場合には黄色の錠剤、食事中の場合には緑の錠剤、食後の場合には青の錠剤、摂取時間が重要でない場合には赤の錠剤を提供することが可能である。
【００２２】
食事を基準とする摂取時間の代わりに、本発明の範囲内で、形状及び／又は色によって他の製品情報をコード化することも可能である。たとえば、食事を基準とする摂取時間を形状によって示し、その薬剤に特有の他何らかの情報を色によって示すこともできる。
【００２３】
したがって、本発明のパッケージングされた製品の組み合わせ及び本発明の方法は、所要量を満たす患者の服用を支援し、その患者は、より長く自らの面倒を見ることができ、入院患者としてのケアに頼らずに済む。
【図１】
2010517651.tif 000003
【図２】
2010517651.tif 000004
【図３ａ】
2010517651.tif 000005
【図３ｂ】
2010517651.tif 000006
【図３ｃ】
2010517651.tif 000007
【図３ｄ】
2010517651.tif 000008
【国際調査報告】
2010517651.tif 000009
2010517651.tif 000010
2010517651.tif 000011
2010517651.tif 000012
2010517651.tif 000013
2010517651.tif 000014